(57)【特許請求の範囲】
【請求項１】
少なくとも一方の面に活物質層を有する第１電極シートと、
前記第１電極シートの両面を覆うセパレータと、
少なくとも一方の面に活物質層を有し、前記第１電極シートとは異なる極性の第２電極シートと、が積層されてなる電極組立体を備えた蓄電装置において、
前記第１電極シートは端部より延在したタブを有し、
前記セパレータは、前記第１電極シートの両方の面において、前記第１電極シートのタブの延在方向に沿って夫々はみ出した第１はみ出し部と、
前記両方の面において、前記第１はみ出し部のはみ出し方向とは異なる方向に夫々はみ出した第２はみ出し部とを有し、
前記第１はみ出し部同士は第１溶着領域により溶着され、
前記第２はみ出し部同士は第２溶着領域により溶着され、
前記第１はみ出し部のはみ出し方向に沿った前記第１溶着領域の領域幅は、
すべての前記第２はみ出し部のはみ出し方向に沿った前記第２溶着領域の領域幅よりも大きい蓄電装置。
【請求項２】
前記第２電極シートは、前記第１電極シートにおいて前記タブが延在された端部である第１端部よりも、前記第１電極シートのタブの延在方向に突出する第２端部を有しており、
前記第１溶着領域の領域幅は、前記第１電極シートのタブの延在方向に沿った前記第１端部から前記第２端部までの距離、
前記第２電極シートの厚さ、
及び前記第１電極シートのタブと該第１電極シートと隣り合う第２電極シートとの離間距離の合計以上である請求項１に記載の蓄電装置。
【請求項３】
前記第１溶着領域、及び前記第２溶着領域の少なくとも一方は、熱溶着された溶着部が断続的に配置されている請求項１または２に記載の蓄電装置。
【請求項４】
前記セパレータは、前記第１電極シートの一方の面を覆う第１のセパレータと、
前記第１電極シートの他方の面を覆う第２のセパレータからなり、
前記第１セパレータ、及び前記第２セパレータのうち少なくとも一方は、絶縁性のセラミック層を有する請求項１〜３のいずれか１項に記載の蓄電装置。
【請求項５】
前記セラミック層は、前記第１電極シートと対向する面とは反対の面を覆う請求項４に記載の蓄電装置。
【請求項６】
前記第１電極シートは、極性が正極である請求項１〜５のいずれか１項に記載の蓄電装置。
【請求項７】
前記蓄電装置は二次電池である請求項１〜６のいずれか１項に記載の蓄電装置。
【発明の詳細な説明】
【技術分野】
【０００１】
本発明は、蓄電装置に関する。
【背景技術】
【０００２】
従来から、ＥＶ（Electric Vehicle）やＰＨＶ（Plug-in Hybrid Vehicle）などの車両に搭載される蓄電装置としては、リチウムイオン二次電池や、ニッケル水素二次電池などがよく知られている。これらの蓄電装置は、金属箔の表面に活物質層を有する電極シートを、間にセパレータを介在させた状態で積層して形成された電極組立体を備えている（例えば、特許文献１）。
【０００３】
特許文献１では、２枚のセパレータで略矩形の正極シートを挟み込むとともに、該正極シートの４つの端部から面内方向にはみ出す部分を熱溶着（熱融着）し、溶着領域を形成している。これにより、特許文献１の蓄電装置では、セパレータに対して正極シートを位置決めするとともに、負極シートと、セパレータに覆われた正極シートとを積層することで、大きさが異なる各電極シートを対向させて積層可能としている。
【先行技術文献】
【特許文献】
【０００４】
【特許文献１】特開２００２−２５２０２３号公報
【発明の概要】
【発明が解決しようとする課題】
【０００５】
しかしながら、特許文献１の正極シートは、セパレータの外周部より等しい間隔を設けて中央部に配置された状態でセパレータによって被覆されたものであり、正極シートの端部のうち、集電タブを有する端部側における溶着領域の領域幅と、その他の端部側における溶着領域の領域幅とが同一である。
【０００６】
このため、特許文献１では、集電タブを有する端部側におけるセパレータのはみ出し量を大きくし、正極シートに設けた集電タブと負極シートとが短絡することを抑制しようとする場合、溶着領域の領域幅が狭いことから、電極シートを積層するときに、セパレータにシワや折れ曲がりなどの不良が生じる虞がある。
【０００７】
このような不良がセパレータに生じた場合には、電極組立体の積層方向における、各電極シートの離間距離や拘束力が不均一となり、電気容量が低下するなど、蓄電装置としての性能が低下する原因となる。
【０００８】
この発明は、上記従来技術に存在する問題点に着目してなされたものであり、その目的は、セパレータ及び電極シートが積層された電極組立体においてセパレータに不良が生じることを抑制できる蓄電装置を提供することにある。
【課題を解決するための手段】
【０００９】
上記課題を解決する蓄電装置は、少なくとも一方の面に活物質層を有する第１電極シートと、前記第１電極シートの両面を覆うセパレータと、少なくとも一方の面に活物質層を有し、前記第１電極シートとは異なる極性の第２電極シートと、が積層されてなる電極組立体を備えた蓄電装置において、前記第１電極シートは端部より延在したタブを有し、前記セパレータは、前記第１電極シートの両方の面において、前記第１電極シートのタブの延在方向に沿って夫々はみ出した第１はみ出し部と、前記両方の面において、前記第１はみ出し部のはみ出し方向とは異なる方向に夫々はみ出した第２はみ出し部とを有し、前記第１はみ出し部同士は第１溶着領域により溶着され、前記第２はみ出し部同士は第２溶着領域により溶着され、前記第１はみ出し部のはみ出し方向に沿った前記第１溶着領域の領域幅は、すべての前記第２はみ出し部のはみ出し方向に沿った前記第２溶着領域の領域幅よりも大きいことを要旨とする。
【００１０】
これによれば、第２はみ出し部同士を溶着した第２溶着領域よりも広い領域幅である第１溶着領域により、第１はみ出し部同士を接合できる。このため、セパレータで覆われた第１電極シートと、第２電極シートとを積層する場合に、セパレータの第１はみ出し部にシワや折れ曲がりなどの不良が生じることを抑制できる。したがって、セパレータ及び電極シートが積層された電極組立体においてセパレータに不良が生じることを抑制できる。
【００１１】
上記蓄電装置について、前記第２電極シートは、前記第１電極シートにおいて前記タブが延在された端部である第１端部よりも、前記第１電極シートのタブの延在方向に突出する第２端部を有しており、前記第１溶着領域の領域幅は、前記第１電極シートのタブの延在方向に沿った前記第１端部から前記第２端部までの距離、前記第２電極シートの厚さ、及び前記第１電極シートのタブと該第１電極シートと隣り合う第２電極シートとの離間距離の合計以上であることが好ましい。
【００１２】
これによれば、第１電極シートのタブを集めてタブ群とする場合に、第１電極シートのタブのうち隣り合う第２電極シートと接触する可能性がある範囲について、第１はみ出し部同士を相互に固定した状態にてセパレータで覆うことができる。したがって、第１電極シートのタブを集めてタブ群とする場合に、第１電極シートのタブと第２電極シートとが短絡することを抑制できる。
【００１３】
上記蓄電装置について、前記第１溶着領域、及び前記第２溶着領域の少なくとも一方は、熱溶着された溶着部が断続的に配置されていることが好ましい。これによれば、溶着領域において溶着部を連続的に形成する場合と比較して、溶着に伴うセパレータの収縮を抑制できる。
【００１４】
上記蓄電装置について、前記セパレータは、前記第１電極シートの一方の面を覆う第１のセパレータと、前記第１電極シートの他方の面を覆う第２のセパレータからなり、前記第１セパレータ、及び前記第２セパレータのうち少なくとも一方は、絶縁性のセラミック層を有することが好ましい。これによれば、各セパレータの少なくとも一方は、絶縁性のセラミック層を有することから、温度上昇に伴ってセパレータが収縮することを抑制できる。
【００１５】
上記蓄電装置について、前記セラミック層は、前記第１電極シートと対向する面とは反対の面を覆うことが好ましい。これによれば、第１セパレータと第２セパレータとを熱溶着することにより簡便に固定できる。
【００１６】
上記蓄電装置について、前記第１電極シートは、極性が正極であることが好ましい。これによれば、正極である第１電極シートを覆うセパレータと、負極となる第２電極シートとを相互に位置決めすることで、第２電極シートに対する第１電極シートの位置決めを容易にできる。
【００１７】
上記蓄電装置について、二次電池であることが好ましい。これによれば、二次電池として、セパレータ及び電極シートが積層された電極組立体においてセパレータに不良が生じることを抑制できる。
【発明の効果】
【００１８】
本発明によれば、セパレータ及び電極シートが積層された電極組立体においてセパレータに不良が生じることを抑制できる。
【図面の簡単な説明】
【００１９】
【図１】リチウムイオン二次電池を模式的に示す断面図。
【図２】電極組立体を模式的に示す斜視図。
【図３】図２に示す１−１線断面図。
【図４】別の実施形態における電極収納セパレータを模式的に示す正面図。
【発明を実施するための形態】
【００２０】
以下、蓄電装置の一実施形態について説明する。
図１に示すように、例えば乗用車両や産業車両などの車両に搭載される蓄電装置としてのリチウムイオン二次電池（以下「二次電池」と示す）１０は、ケース１１に電極組立体１２が収容されている。
【００２１】
ケース１１は、電極組立体１２を収容する有底矩形箱状の本体部材１１ａと、該本体部材１１ａの開口部を閉塞する矩形板状の蓋部材１１ｂとから構成されている。本体部材１１ａ、及び蓋部材１１ｂは、例えばステンレスやアルミニウムなどの金属製である。
【００２２】
ケース１１内には、電解質として非水電解液１３が充填されている。蓋部材１１ｂには、正極端子１５、及び負極端子１６が外部に向かって突設されている。また、電極組立体１２は、絶縁性の樹脂シート１４に覆われた状態でケース１１に収容されている。
【００２３】
図２に示すように、電極組立体１２は、正極、及び第１電極シートとしての正極シート１８と、正極シート１８とは極性が異なる負極、及び第２電極シートとしての負極シート１９と、正極シート１８と負極シート１９との間を絶縁する袋状の電極収納セパレータ２０とを有する。
【００２４】
そして、電極組立体１２は、正極シート１８を収納した電極収納セパレータ２０、及び負極シート１９を交互に積層された積層型の電極組立体である。以下の説明で「積層方向」という場合には、電極組立体１２における正極シート１８及び負極シート１９が層状に重なる方向としての積層方向を意味するものとする。
【００２５】
正極シート１８は、外形形状が矩形である正極金属箔（本実施形態ではアルミニウム箔）２１と、該正極金属箔２１の両方の面に活物質としての正極活物質を含む正極活物質層２２とを有する。正極活物質層２２は、正極金属箔２１の両方の面において、第１端部としての第１正極端部１８ａとは反対側の第２正極端部１８ｂから一定幅で、第１正極端部１８ａが延びる方向の全幅にわたって設けられている。
【００２６】
また、正極金属箔２１の両方の面には、第１正極端部１８ａから一定幅で、該第１正極端部１８ａが延びる方向の全幅にわたって、正極活物質層２２が形成されていない部分である正極非形成部２３が設けられている。正極非形成部２３は、第１正極端部１８ａに沿って延びるとともに、正極金属箔２１が露出する金属箔露出部となる。
【００２７】
また、正極シート１８は、第１正極端部１８ａより延在（突出）する第１タブとしての正極集電タブ２４を有する。正極集電タブ２４は、正極非形成部２３を構成する正極金属箔２１の一部である。正極集電タブ２４は、電極組立体１２を構成する各正極シート１８において同位置に同一形状で形成されている。
【００２８】
このため、図１に示すように、電極組立体１２の縁部１２ａには、正極集電タブ２４を電極組立体１２の積層方向の一方から他方までの範囲内で集めた第１タブ群としての正極集電タブ群２４ａが設けられる。この正極集電タブ群２４ａでは、複数の正極集電タブ２４が層状に重なっているとともに、正極端子１５が溶接などにより電気的に接続される。
【００２９】
図２に示すように、負極シート１９は、外形形状が矩形である負極金属箔（本実施形態では銅箔）２５と、該負極金属箔２５における両方の面に活物質としての負極活物質を含む負極活物質層２６とを有する。この負極活物質層２６は、負極金属箔２５の両方の面において、第２端部としての第１負極端部１９ａから反対側の第２負極端部１９ｂまで、第１負極端部１９ａが延びる方向の全幅にわたって設けられている。
【００３０】
また、負極シート１９は、第１負極端部１９ａより延在（突出）する負極集電タブ２８を有する。本実施形態の負極集電タブ２８は、正極集電タブ２４の延在方向と同じ方向に沿って延在した第２タブとなる。負極集電タブ２８は、負極活物質層２６が形成されていない部分である負極非形成部２７であり、負極金属箔２５が露出する金属箔露出部となる。
【００３１】
そして、負極集電タブ２８は、電極組立体１２を構成する各負極シート１９において同位置に同一形状で形成されている。また、負極集電タブ２８は、正極シート１８と負極シート１９を積層する場合に正極集電タブ２４と重ならない位置に設けられている。
【００３２】
このため、図１に示すように、電極組立体１２の縁部１２ａには、負極集電タブ２８を電極組立体１２の積層方向の一方から他方までの範囲内で集めた第２タブ群としての負極集電タブ群２８ａが設けられる。この負極集電タブ群２８ａでは、複数の負極集電タブ２８が層状に重なっているとともに、負極端子１６が溶接などにより電気的に接続される。
【００３３】
また、図２に示すように、電極収納セパレータ２０は、互いに対向する矩形シート状の第１セパレータ２０ａと、矩形シート状の第２セパレータ２０ｂとを有する。第１セパレータ２０ａ、及び第２セパレータ２０ｂは、何れも微多孔性フィルム製である。
【００３４】
第１セパレータ２０ａと第２セパレータ２０ｂは同形状、且つ同サイズであり、正極シート１８よりも一回り大きなサイズである。これにより、第１セパレータ２０ａは、正極シート１８を重ねた状態において、正極シート１８のうち正極集電タブ２４が延在する第１正極端部１８ａから、正極集電タブ２４の延在方向にはみ出したはみ出し部３０ａを有する。同様に、第２セパレータ２０ｂは、正極シート１８を重ねた状態において、第１正極端部１８ａからはみ出し部３０ａと同じ方向に沿ってはみ出したはみ出し部３０ｅを有する。各はみ出し部３０ａ，３０ｅのはみ出し幅は、同一である。本実施形態において、はみ出し部３０ａ、及びはみ出し部３０ｅは、正極シート１８の両方の面において、正極集電タブ２４の延在方向に沿って夫々はみ出した第１はみ出し部となる。
【００３５】
また、第１セパレータ２０ａは、第１正極端部１８ａとは反対側の第２正極端部１８ｂ、並びに各正極端部１８ａ，１８ｂが延びる方向と直交する方向に延びる第３正極端部１８ｃ及び第４正極端部１８ｄからそれぞれはみ出すはみ出し部３０ｂ，３０ｃ，３０ｄを有する。同様に、第２セパレータ２０ｂは、第２正極端部１８ｂ、第３正極端部１８ｃ、及び第４正極端部１８ｄからそれぞれはみ出すはみ出し部３０ｆ，３０ｇ，３０ｈを有する。各はみ出し部３０ｂ〜３０ｄ，３０ｆ〜３０ｈのはみ出し幅は、同一である。
【００３６】
はみ出し部３０ｂ、及びはみ出し部３０ｆは、正極集電タブ２４の延在方向とは反対方向にはみ出す。また、はみ出し部３０ｃ，３０ｄ、及びはみ出し部３０ｇ，３０ｈは、正極集電タブ２４の延在方向と直交する方向にはみ出す。即ち、各はみ出し部３０ｂ〜３０ｄ，３０ｆ〜３０ｈは、正極集電タブ２４の延在方向以外の方向にはみ出す。本実施形態では、はみ出し部３０ｂ，３０ｃ，３０ｄ、及びはみ出し部３０ｆ，３０ｇ，３０ｈが各はみ出し部３０ａ，３０ｅのはみ出し方向とは異なる方向に夫々はみ出した第２はみ出し部となる。
【００３７】
そして、電極収納セパレータ２０において、はみ出し部３０ａとはみ出し部３０ｅとは、熱溶着して形成される溶着部２９が断続的（間欠的）に配置された第１溶着領域３２で接合されている。本実施形態では、図中において斜線で示すように、各はみ出し部３０ａ，３０ｅの全面（又は略全面）が第１溶着領域３２である。
【００３８】
同様に、電極収納セパレータ２０において、第１セパレータ２０ａと第２セパレータ２０ｂとで対向する各はみ出し部３０ｂ〜３０ｄと、各はみ出し部３０ｆ〜３０ｈ同士は、熱溶着して形成される溶着部２９が断続的（間欠的）に配置された第２溶着領域３３で接合されている。本実施形態では、各はみ出し部３０ｂ〜３０ｄ，３０ｆ〜３０ｈの全面（又は略全面）が第２溶着領域３３である。
【００３９】
このため、各はみ出し部３０ｂ〜３０ｄ，３０ｆ〜３０ｈのはみ出し方向に沿った各第２溶着領域３３の領域幅３５ｂは、何れも同一である。そして、正極集電タブ２４の延在方向に沿った第１溶着領域３２の領域幅３５ａは、各第２溶着領域３３の領域幅３５ｂよりも大きい。
【００４０】
このように、第１セパレータ２０ａと第２セパレータ２０ｂとは、全周で溶着（接合）されている。また、正極シート１８の正極集電タブ２４は、第１セパレータ２０ａと第２セパレータ２０ｂの対向する面である各はみ出し部３０ａ，３０ｅの面の間に位置し、その面の間を通って電極収納セパレータ２０（各セパレータ２０ａ，２０ｂ）の先端部３５よりも突出している。電極収納セパレータ２０には、第１セパレータ２０ａと第２セパレータ２０ｂとが接合されることによって、各溶着領域３２，３３の内側に正極シート１８の収納部Ｓが設けられる。
【００４１】
また、正極シート１８の第１正極端部１８ａ、及び負極シート１９の第１負極端部１９ａが延びる方向に沿った電極収納セパレータ２０（各セパレータ２０ａ，２０ｂ）の長さと、負極シート１９の長さとは、同一（又は略同一）である。各集電タブ２４，２８の延在方向に沿った電極収納セパレータ２０（各セパレータ２０ａ，２０ｂ）の長さは、負極シート１９の長さより長い。
【００４２】
そして、電極組立体１２において、正極シート１８を収納した電極収納セパレータ２０と、負極シート１９とは、積層方向から見た場合に、電極収納セパレータ２０の端部のうち先端部３５とは反対側の端部と、負極シート１９の第２負極端部１９ｂとを一致させた状態で積層されている。
【００４３】
これにより、図３に示すように、負極シート１９の第１負極端部１９ａは、第１正極端部１８ａよりも正極集電タブ２４の延在方向に突出している。このため、積層方向から見た場合に、第１負極端部１９ａは、各はみ出し部３０ａ，３０ｅのはみ出し方向における先端部３５と、正極シート１８の第１正極端部１８ａとの間に配置される。即ち、積層方向からみた場合に、第１溶着領域３２と第１負極端部１９ａとは重なっている。また、電極組立体１２では、積層方向からみた場合に、正極集電タブ２４を除く正極シート１８（正極活物質層２２）の全体が、負極シート１９の負極活物質層２６に重なっている。
【００４４】
そして、正極集電タブ２４の延出方向に沿った第１溶着領域３２の領域幅３５ａは、正極集電タブ２４の延在方向に沿った第１正極端部１８ａの端面から第１負極端部１９ａの端面までの距離Ｌｘ、負極シート１９の厚さＬｙ、及び正極シート１８の正極集電タブ２４と、該正極シート１８と隣り合う負極シート１９との離間距離Ｌｚの合計以上である。
【００４５】
また、各セパレータ２０ａ，２０ｂにおいて、正極シート１８と対向する内面とは反対面となる外面は、絶縁性のセラミック粒子が堆積したセラミック層により全面が覆われている。なお、各セパレータ２０ａ，２０ｂの内面には、セラミック層が設けられていない。
【００４６】
次に、本実施形態の二次電池１０の作用について説明する。
正極集電タブ２４の延在方向に沿った第１溶着領域３２の領域幅３５ａを、第２溶着領域３３の領域幅３５ｂよりも大きくしていることから、第１溶着領域３２では、第２溶着領域３３よりも広い範囲にわたって各セパレータ２０ａ，２０ｂを相互に固定できる。このため、電極収納セパレータ２０に収納した正極シート１８、及び負極シート１９を積層する場合に、各はみ出し部３０ａ，３０ｅがめくれるなど、離間してシワや折れ曲がりが発生することを抑制できる。
【００４７】
特に、本実施形態では、各はみ出し部３０ａ，３０ｂの全面（又は略全面）に第１溶着領域３２を設定している。このため、各はみ出し部３０ａ，３０ｂが離間することをより抑制できる。
【００４８】
また、第１溶着領域３２の領域幅３５ａは、第１正極端部１８ａの端面から第１負極端部１９ａの端面までの距離Ｌｘ、負極シート１９の厚さＬｙ、及び正極集電タブ２４と負極シート１９との離間距離Ｌｚの合計以上である。
【００４９】
このため、図３において矢印Ｙに示すように、正極集電タブ２４を積層方向に屈曲させつつ集めて正極集電タブ群２４ａとする場合に、正極集電タブ２４のうち隣り合う負極シート１９と接触する可能性がある範囲について、はみ出し部３０ａとはみ出し部３０ｅとを相互に固定した状態にて電極収納セパレータ２０で覆うことができる。
【００５０】
また、第１溶着領域３２、及び第２溶着領域３３では、溶着部２９を断続的に配置している。このため、各溶着領域３２，３３の全面を溶着部２９としたり、溶着部２９を連続的に形成したりする構成と比較して、各溶着領域３２，３３としての面積を確保しつつも、熱溶着に伴う各セパレータ２０ａ，２０ｂの収縮を軽減できる。
【００５１】
また、電極収納セパレータ２０を構成する各セパレータ２０ａ，２０ｂは、外面の全体がセラミック層で覆われている。このため、仮に二次電池１０の温度が電極収納セパレータ２０（各セパレータ２０ａ，２０ｂ）の熱収縮温度や融点を超える場合であっても、各セパレータ２０ａ，２０ｂが収縮することを抑制できる。
【００５２】
また、各セパレータ２０ａ，２０ｂの内面には、セラミック層が設けられていないことから、第１溶着領域３２、及び第２溶着領域３３において各セパレータ２０ａ，２０ｂを熱溶着し、簡便に溶着部２９を形成できる。
【００５３】
電極収納セパレータ２０に収納する電極シートを正極シート１８としている。このため、電極収納セパレータ２０と、負極シート１９とを相互に位置決めすることで、負極シート１９に対する正極シート１８の位置決めを容易にできる。特に本実施形態では、積層方向からみた場合に、正極集電タブ２４を除く正極シート１８（正極活物質層２２）の全体が、負極シート１９の負極活物質層２６に重なるように位置決めできる。このため、充放電に伴う金属リチウムの析出を好適に抑制できる。
【００５４】
したがって、本実施形態によれば、以下のような効果を得ることができる。
（１）第１溶着領域３２の領域幅３５ａを、第２溶着領域３３の領域幅３５ｂよりも大きくし、正極集電タブ２４を挟み込む第１溶着領域３２において、各セパレータ２０ａ，２０ｂが離間することを抑制している。このため、電極収納セパレータ２０に収納された正極シート１８と、負極シート１９とを積層する場合に、各はみ出し部３０ａ，３０ｅにシワや折れ曲がりなどの不良が生じることを抑制できる。したがって、各セパレータ２０ａ，２０ｂ、正極シート１８、及び負極シート１９が積層された電極組立体１２において各セパレータ２０ａ，２０ｂに不良が生じることを抑制できる。
【００５５】
（２）正極集電タブ２４のうち隣り合う負極シート１９と接触する可能性がある範囲について、各はみ出し部３０ａ，３０ｅを相互に固定した状態にて電極収納セパレータ２０で覆っていることから、正極シート１８の正極集電タブ２４を集めて正極集電タブ群２４ａとする場合に、正極集電タブ２４と負極シート１９とが短絡することを抑制できる。
【００５６】
（３）各溶着領域３２，３３では、溶着部２９を断続的に配置している。このため、各溶着領域３２，３３において溶着部２９を連続的に形成する場合と比較して、溶着に伴う各セパレータ２０ａ，２０ｂの収縮を抑制できる。
【００５７】
（４）各セパレータ２０ａ，２０ｂは、絶縁性のセラミック層を有することから、温度上昇に伴ってセパレータ２０ａ，２０ｂが収縮することを抑制できる。したがって、正極シート１８と負極シート１９とが短絡することを抑制できる。
【００５８】
（５）セラミック層は、正極シート１８と対向する面とは反対面である外面を覆っている。このため、第１セパレータ２０ａと第２セパレータ２０ｂとを熱溶着することにより簡便に固定できる。
【００５９】
（６）二次電池１０として、電極組立体１２においてセパレータ２０ａ，２０ｂに不良が生じることを抑制できる。このため、電極組立体１２の積層方向における、正極シート１８と負極シート１９との離間距離や拘束力が不均一となり、電気容量が低下するなど、二次電池１０としての性能が低下することを抑制できる。
【００６０】
実施形態は前記に限定されるものではなく、例えば、次のように具体化してもよい。
○  図４に示すように、溶着部２９は、第１溶着領域３２の全体に一体に形成してもよく、例えば直線状に連続的に形成してもよい。第２溶着領域３３についても同様に変更できる。
【００６１】
○  電極収納セパレータ２０には、正極シート１８に代えて負極シート１９を収納してもよい。
○  第１セパレータ２０ａ、及び第２セパレータ２０ｂは、一体のセパレータであってもよい。即ち、電極収納セパレータ２０は、１枚の矩形シート状のセパレータを二つ折りにするとともに、熱溶着して各溶着領域３２，３３を設けて形成されていてもよい。
【００６２】
○  正極シート１８は、複数の正極集電タブ２４を第１正極端部１８ａから延在させてもよい。即ち、電極組立体１２は、縁部１２ａから突出する正極集電タブ群２４ａを複数有していてもよい。負極シート１９についても同様に変更できる。
【００６３】
○  各はみ出し部３０ｂ，３０ｆ、各はみ出し部３０ｃ，３０ｇ、及び各はみ出し部３０ｄ，３０ｈのはみ出し幅は、同一でなくてもよい。また、各はみ出し部３０ｂ，３０ｆ、各はみ出し部３０ｃ，３０ｇ、及び各はみ出し部３０ｄ，３０ｈのはみ出し幅は、各はみ出し部３０ａ，３０ｅのはみ出し幅と同一であってもよく、また各はみ出し部３０ａ，３０ｅのはみ出し幅よりも大きくてもよい。但し、上記実施形態のように、第１溶着領域３２の領域幅３５ａを第２溶着領域３３の領域幅３５ｂよりも大きくする。
【００６４】
○  第１溶着領域３２は、各はみ出し部３０ａ，３０ｅの一部に設けてもよい。同様に、第２溶着領域３３は、各はみ出し部３０ｂ，３０ｆ、各はみ出し部３０ｃ，３０ｇ、及び各はみ出し部３０ｄ，３０ｈのそれぞれ一部に設けてもよい。
【００６５】
○  第１溶着領域３２の領域幅３５ａは、上述した距離Ｌｘ、厚さＬｙ、及び離間距離Ｌｚの合計未満であってもよい。但し、正極集電タブ群２４ａにおいて正極集電タブ２４と負極シート１９とが短絡することを抑制する観点からは、上記実施形態のように構成することが好ましい。
【００６６】
○  セラミック層は、各セパレータ２０ａ，２０ｂの外面に加えて、又は代えて内面に設けられていてもよい。また、セラミック層は、各セパレータ２０ａ，２０ｂの外面の一部を覆っていてもよい。
【００６７】
○  各セパレータ２０ａ，２０ｂは、セラミック層の両面を微多孔性フィルムで覆った多層構造としてもよい。
○  正極金属箔２１、及び負極金属箔２５を構成する金属を変更してもよい。
【００６８】
○  正極シート１８は、一方の面（片面）に正極活物質層２２を有していてもよい。同様に、負極シート１９は、一方の面（片面）に負極活物質層２６を有していてもよい。
○  ニッケル水素二次電池や、電気二重層キャパシタなどの蓄電装置に具体化してもよい。
【００６９】
○  車両以外に用いられる蓄電装置に具体化してもよい。
【符号の説明】
【００７０】
Ｌｘ…距離、Ｌｙ…厚さ、Ｌｚ…離間距離、１０…リチウムイオン二次電池（二次電池、蓄電装置）、１２…電極組立体、１８…正極シート（第１電極シート）、１８ａ…第１正極端部（第１端部）、１９…負極シート（第２電極シート）、１９ａ…第１負極端部（第２端部）、２０ａ…第１セパレータ、２０ｂ…第２セパレータ、２２…正極活物質層（活物質層）、２４…正極集電タブ（第１タブ）、２４ａ…正極集電タブ群（第１タブ群）、２６…負極活物質層（活物質層）、２８…負極集電タブ（第２タブ）、２８ａ…負極集電タブ群（第２タブ群）、２９…溶着部、３０ａ…はみ出し部（第１はみ出し部）、３０ｂ〜３０ｄ…はみ出し部（第２はみ出し部）、３０ｅ…はみ出し部（第１はみ出し部）、３０ｆ〜３０ｈ…はみ出し部（第２はみ出し部）、３２…第１溶着領域、３３…第２溶着領域、３５ａ，３５ｂ…領域幅。
【図１】
0005637245.tif 000002
【図２】
0005637245.tif 000003
【図３】
0005637245.tif 000004
【図４】
0005637245.tif 000005